(57)【特許請求の範囲】
【請求項１】
役物を有する弾球遊技機であって、
前記役物は、
左右に一対に設けられ当該役物内に遊技球が流入する入口部と、
左右方向に延びる帯板状をなし、通常は中立状態にあるとともに左右方向におけるほぼ中央部の支点部を中心に左傾状態・中立状態・右傾状態の間を揺動可能に設けられたシーソー部材と、
前記シーソー部材の手前側に位置し、左右の両端部から中央部に向かうにつれて下方に向かうように傾斜しており、前記シーソー部材から流出する遊技球が流入する底部と
を有し、
前記シーソー部材の中央部及び左右の各端部の近傍には、奥側から手前側に向かうにつれて下方に向かうように傾斜する落下部が形成され、
前記底部の中央部には、奥側から手前側に向かうにつれて下方に向かうように傾斜する落下部が形成され、
前記左右の各入口部から当該役物内に流入した遊技球が、前記シーソー部材の前記支点部の近傍以外の部分の上に着地する位置関係とされている弾球遊技機。
【請求項２】
請求項１に記載の弾球遊技機であって、
前記シーソー部材の左右方向における中央部に形成された前記落下部から前記底部へ流出した場合の方が、それ以外の場合よりも、遊技者に特別な利益を与える可能性が大きい弾球遊技機。
【発明の詳細な説明】
【０００１】
【発明の属する技術分野】
本発明は、パチンコ機等の弾球遊技機に関するものである。
【０００２】
【従来の技術】
従来のパチンコ機として、次のようなものがある。
そのパチンコ機は、遊技盤の中央部にセンター役物を有している。センター役物は、奥面に表示部を有し、下部にステージ部を有している。そして、センター役物内に流入したパチンコ球は、ステージ部上を転動した後に、ステージ部上から落下する。そして、そのパチンコ球が始動入賞口に入賞すると、表示部における図柄が変動表示された後に静止表示され、その静止表示された図柄が「当たり」の図柄の場合には、大入賞口が所定の回数開くようにされている。
【０００３】
【発明が解決しようとする課題】
ところで、上記のような従来のパチンコ機では、センター役物のステージ部がほぼ水平な平坦状である。このため、センター役物内に流入したパチンコ球は、単にそのステージ部上を転動しそのステージから落下していくのみであり、遊技者に対してあまり深い興趣を与えることができなかった。
【０００４】
そこで、本発明は、役物に改良を行い、深い興趣を遊技者に与えることができる弾球遊技機を提供することを課題とする。
【０００５】
【課題を解決するための手段】
上記の課題を解決するために、請求項１に係る発明は、役物を有する弾球遊技機であって、前記役物は、左右に一対に設けられ当該役物内に遊技球が流入する入口部と、左右方向に延びる帯板状をなし、通常は中立状態にあるとともに左右方向におけるほぼ中央部の支点部を中心に左傾状態・中立状態・右傾状態の間を揺動可能に設けられたシーソー部材と、前記シーソー部材の手前側に位置し、左右の両端部から中央部に向かうにつれて下方に向かうように傾斜しており、前記シーソー部材から流出する遊技球が流入する底部とを有し、前記シーソー部材の中央部及び左右の各端部の近傍には、奥側から手前側に向かうにつれて下方に向かうように傾斜する落下部が形成され、前記底部の中央部には、奥側から手前側に向かうにつれて下方に向かうように傾斜する落下部が形成され、前記左右の各入口部から当該役物内に流入した遊技球が、前記シーソー部材の前記支点部の近傍以外の部分の上に着地する位置関係とされている弾球遊技機である。
【０００６】
上記の発明の弾球遊技機では、左右のいずれかの入口部から役物内に流入した遊技球がシーソー部材の支点部の近傍以外の部分の上に着地することによって、それまで中立状態であったシーソー部材は、その遊技球に加わる重力に基づいて傾斜状態となる。例えばシーソー部材のうちの左側部分（例えば左端部近傍）に遊技球が着地した場合は、シーソー部材は中立状態から左傾状態となる。一方、シーソー部材のうちの右側部分に遊技球が着地した場合は、シーソー部材は中立状態から右傾状態となる。そして、シーソー部材上からその遊技球が流出することによって、又は、その着地後シーソー部材の支点部の近傍にその遊技球が到達することによって、シーソー部材は元の中立状態に戻る。
このように、上記の発明の弾球遊技機では、遊技球がシーソー部材上に到達し、流出していくこと等によって、シーソー部材が所定の動きをする。このため、この動きによって、遊技者に対して深い興趣を与えることができる。また、このシーソー部材の動きは動力源を使用するものではないため、低コスト化を図りつつ、遊技者に興趣を与えることができる。
【０００７】
ここで、「前記左右の各入口部から当該役物内に流入した遊技球が、前記シーソー部材の前記支点部の近傍以外の部分の上に着地する」の例として、「前記左右の各入口部から当該役物内に流入した遊技球が、前記シーソー部材のうちの対応する当該左右の各端部の近傍上に着地する」がある。「対応する当該左右の各端部の近傍上に着地する」とは、左の入口部から流入した遊技球が左の端部の近傍上に着地し、右の入口部から流入した遊技球が右の端部の近傍上に着地することをいう。
また、「役物」としては、遊技盤のほぼ中央に位置するいわゆるセンター役物が代表例であるが、それに限らず、その他の役物でもよい。
【０００８】
請求項２に係る発明は、請求項１に係る発明の弾球遊技機であって、前記シーソー部材の左右方向における中央部に形成された前記落下部から前記底部へ流出した場合の方が、それ以外の場合よりも、遊技者に特別な利益を与える可能性が大きい弾球遊技機である。
【０００９】
上記の発明の弾球遊技機では、請求項１に係る発明の弾球遊技機の作用効果に加えて、次の作用効果が得られる。
すなわち、シーソー部材に到達した遊技球がそのシーソー部材から底部へ流出していく際に、シーソー部材のうちの中央の落下部から流出していく場合は、それ以外の場合よりも、遊技者が特別な利益を得られる可能性が大きい。このため、シーソー部材上をどのように遊技球が転動してどこから流出していくかは、遊技者の大きな関心の的となり、遊技者により深い興趣を与えることができる。
【００１０】
【発明の実施の形態】
次に、本発明の一実施形態を図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。ハンドル１２は、パチンコ球（遊技球）の発射操作をするものであり、賞球払い出し装置は、所定の「当たり」の場合にパチンコ球を賞球として払い出すものである。
【００１１】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。そして、遊技者がハンドル１２を操作することによって発射されたパチンコ球は、通路を通り、遊技領域へと導かれるのである。
【００１２】
遊技盤１０（遊技領域）には、多数の釘（図示省略）や風車２６が設けられているとともに、複数の普通入賞口２０が設けられている。普通入賞口２０にパチンコ球が入った場合には、例えば６又は１３個のパチンコ球が賞球として賞球払い出し装置から払い出される。
【００１３】
遊技盤１０のほぼ中央にはセンター役物３０が設けられている。センター役物３０の下方には始動入賞口２２が設けられ、その下方には大入賞口２４が設けられている。
【００１４】
センター役物３０の奥面には、表示部３２が設けられている。表示部３２は液晶によって構成され、種々の図柄が表示される。
すなわち、始動入賞口２２にパチンコ球が入る（これを入賞という）と、表示部３２における図柄が所定の時間変動表示され、その後、最終的な図柄が静止表示される。静止表示された図柄には「当たり」と「はずれ」があり、「当たり」の場合（例えば「７７７」）には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物３０が遊技者に与える特別な利益ということとする。
【００１５】
図２及び図３に示すように、センター役物３０は、奥側の第１層部材４０，手前側の第２層部材５０，シーソー部材８０，装飾部材３４，パチンコ球ガイド部材３６ａ，３６ｂを有している。これらは、ビス（図示省略）によって結合されている。なお、センター役物３０は左右対称的な形状を有しているため、適宜、そのうちの一方についてのみ説明する。
【００１６】
第１層部材４０及び第２層部材５０は、ともに四角枠状をしており、相互に対応した形状を有している。
センター役物３０は、第２層部材５０の基板部５１が遊技盤１０とほぼ面一となるように遊技盤１０（図１参照）に取り付けられる。装飾部材３４は、第２層部材５０の手前側の上部に設けられている。
【００１７】
図３に示すように、第１層部材４０の底部４２は、左右の両端部から中央部に向かうにつれて若干下方に向かうように傾斜している。底部４２のうちの中央部は窪み部４３とされている。
【００１８】
図２及び図３に示すように、第２層部材５０の左右両端には、パチンコ球入口部５２ａ，５２ｂ（入口部に該当する）が形成されている。パチンコ球入口部５２ａ，５２ｂは、左右の各端部から中央側（センター役物３０の左右方向における中央側）へ向かって突出するように形成されている。すなわち、左側のパチンコ球入口部５２ａは右方向へ突出するように形成されている。
【００１９】
パチンコ球入口部５２ａ，５２ｂのうちの基端部側の部分は下り坂部５３ａ，５３ｂとされ、パチンコ球入口部５２ａ，５２ｂのうちの先端部側の部分は凹状部５４ａ，５４ｂとされている。
下り坂部５３ａ，５３ｂは、その基端部から凹状部５４ａ，５４ｂの方へ向かうにつれて下方に向かう下り坂状をしている。凹状部５４ａ，５４ｂは、滑らかに下方に向かって窪んでいる。
下り坂部５３ａ，５３ｂ及び凹状部５４ａ，５４ｂとも、パチンコ球入口部５２ａ，５２ｂ（その床面）は、遊技者の手前側から奥側へ向かうにつれて若干下方へ傾斜している。
【００２０】
各パチンコ球ガイド部材３６ａ，３６ｂは、各パチンコ球入口部５２ａ，５２ｂに対して取り付けられる。パチンコ球ガイド部材３６ａ，３６ｂは、遊技盤１０上を転動落下してくるパチンコ球をパチンコ球入口部５２ａ，５２ｂにガイドするものである。
【００２１】
第２層部材５０の下部には、底部５６が形成されている。底部５６は、左右の両端部から中央部に向かうにつれて若干下方に向かうように傾斜している。中央部は落下部５７とされている。落下部５７は、奥側から手前側に向かうにつれて若干下方に向かうように傾斜している（以下、このことを前傾という）。
【００２２】
第２層部材５０の底部５６のうちの中央近傍（落下部５７及びその近傍）の奥側部分には、縦板部６０が立設されており、さらにその奥側には支持部７０（図３参照）が形成されている。
縦板部６０の中央部の上部は凹状に窪んでおり、パチンコ球流出部６２とされている。縦板部６０の上部の左右の両端部は、遮断部６４ａ，６４ｂとされている。
【００２３】
図３，図５，図６に示すように、支持部７０は、第１層部材４０の底部４２（窪み部４３）の上方に位置している。図５及び図６に示すように、支持部７０は、一対の斜板部７２ａ，７２ｂと、一対の張り出し部７４ａ，７４ｂを有している。斜板部７２ａ，７２ｂは、上方に向かうにつれて左右の各方向へ向かうように斜めに形成されており、両者合わせてＶ字状をしている。両斜板部７２ａ，７２ｂの間は、下方へ窪む窪み部７３とされている。張り出し部７４ａ，７４ｂは、各斜板部７２ａ，７２ｂの上端部において外側方向へほぼ水平に張り出している。
【００２４】
図３，図５，図６に示すように、シーソー部材８０は、左右方向に延びるほぼ平板状の帯板状をしている。左右の両端部は若干上方へ湾曲している。正確にいえば、ほぼ水平な中立状態（後述）において、そのように湾曲している。
シーソー部材８０の中央部及び左右の各端部の近傍には、落下部８２，８３ａ，８３ｂが形成されている。落下部８２，８３ａ，８３ｂは前傾している。
【００２５】
シーソー部材８０の中央部には、支点部８６が形成されている。図５及び図６に示すように、支点部８６は、シーソー部材８０の下面から下方に向かって突出して形成されている。支点部８６は、支持部７０の窪み部７３に遊びを有して嵌められる。こうして、シーソー部材８０は、支点部８６を中心に揺動可能とされている。
すなわち、シーソー部材８０は、支点部８６を中心に、左傾状態・中立状態・右傾状態の間を揺動可能である。中立状態は、図６（ａ）に示すように、シーソー部材８０が全体としてほぼ水平な状態である。左傾状態は、図６（ｂ）に示すように、シーソー部材８０が全体として右側から左側に向かうにつれて下方に向かうように傾斜した状態である。右傾状態は、その逆に傾斜した状態である（図示省略）。
【００２６】
通常は、シーソー部材８０は中立状態にある。パチンコ球Ｂがシーソー部材８０の左側部分又は右側部分上に位置することによって、シーソー部材は左傾状態又は右傾状態となる。なお、左傾状態及び右傾状態を合わせて、便宜的に、傾斜状態ともいうこととする。
【００２７】
シーソー部材８０は、第１層部材４０の底部４２よりも上方に位置しており、図６（ａ）に示すように、中立状態のシーソー部材８０と底部４２との間には、隙間が存在している。そして、シーソー部材８０が揺動して左傾状態になった際には、図６（ｂ）に示すように、シーソー部材８０の左端近傍が底部４２に当接する。同様に、シーソー部材８０が右傾状態になった際には、シーソー部材８０の右端近傍が底部４２に当接する（図示省略）。こうして、左傾状態及び右傾状態の限度が設けられている。
【００２８】
図５及び図６に示すように、支点部８６の左右の両近傍には、抜出防止部８８ａ，８８ｂが形成されている。抜出防止部８８ａ，８８ｂは、シーソー部材８０の下面から下方に延び、その後、徐々に傾斜角度が緩くなるように曲がり、その先端部はほぼ水平に両者が近接する方向に向かっている。そして、各抜出防止部８８ａ，８８ｂは、支持部７０の各張り出し部７４ａ，７４ｂを遊びを有して囲んでいる。こうして、シーソー部材８０が支持部７０から抜け出ることが防止されている。
【００２９】
なお、シーソー部材８０は、次のようにして支持部７０に対して取り付けられる。図５に示すように、第１層部材４０と第２層部材５０が組み付けられる前の状態において、第２層部材５０の支持部７０に対して、シーソー部材８０（支点部８６，抜出防止部８８ａ，８８ｂ）が第２層部材５０よりも奥側の方向から取り付けられる。そのように取り付けられた後に、ビス８９が第１層部材４０のビス孔４９を通して第２層部材５０（支持部７０）のビス穴７９にねじ込まれて、第１層部材４０及び第２層部材５０が結合される。こうして、シーソー部材８０は支持部７０から抜け出ることが防止された状態で、支持部７０に対して取り付けられる。
【００３０】
パチンコ球入口部５２ａ，５２ｂとシーソー部材８０とは、次のような位置関係にある。シーソー部材８０の左右の各端部近傍は、左右の各パチンコ球入口部５２ａ，５２ｂ（凹状部５４ａ，５４ｂ）の奥側かつ下方に位置している。このため、左側のパチンコ球入口部５２ａを通って役物３０内に流入したパチンコ球は、パチンコ球入口部５２ａから落下して、シーソー部材８０の左端部近傍上に着地する。一方、右側のパチンコ球入口部５２ｂを通って役物３０内に流入したパチンコ球は、パチンコ球入口部５２ｂから落下して、シーソー部材８０の右端部近傍上に着地する。
【００３１】
また、図２及び図４に示すように、前述の縦板部６０のパチンコ球流出部６２は、シーソー部材８０の中央の落下部８２に対応して、落下部８２よりも低く形成されている。すなわち、シーソー部材８０の中央の落下部８２から落下するパチンコ球がパチンコ球流出部６２を通って第２層部材５０（落下部５７）へ流出するようにされている。各遮断部６４ａ，６４ｂは、シーソー部材８０のうちの中央の落下部８２と左右の各落下部８３ａ，８３ｂとの間の部分に対応して、シーソー部材８０（中立状態及び傾斜状態のいずれの状態においても）の当該部分よりも高く形成されている。こうして、シーソー部材８０の当該部分からパチンコ球が第２層部材５０の側へ流出することが防止されている。
【００３２】
そして、図４に示すように、シーソー部材８０及び第２層部材５０の底部５６が、ステージ部３５を形成する。
【００３３】
次に、このパチンコ機の作用効果について説明する。
遊技盤１０（図１参照）上を転動し、パチンコ球ガイド部材３６ａに到達したパチンコ球Ｂは、図７に示すように、そのパチンコ球ガイド部材３６ａによってガイドされ、パチンコ球入口部５２ａからセンター役物３０内に流入する。パチンコ球Ｂは、パチンコ球入口部５２ａを奥側方向へ転動して、パチンコ球入口部５２ａから落下し、中立状態のシーソー部材８０の左端部近傍（落下部８３ａの近傍）上に着地する。シーソー部材８０の左端部近傍上にパチンコ球Ｂが到達することによって、そのパチンコ球Ｂに加わる重力に基づいて、シーソー部材８０は左傾状態となる（図６（ｂ）も参照）。
【００３４】
前述したように、パチンコ球入口部５２ａは凹状部５４ａのみならず下り坂部５３ａも有しているため、パチンコ球Ｂがパチンコ球入口部５２ａのうちのどの部分をどのように流れるかについて、種々の場合が存在する。すなわち、図７に示すように、パチンコ球Ｂは、パチンコ球入口部５２ａのうち、凹状部５４ａを遊技盤１０とほぼ直角に奥側方向へ転動する場合もあれば、図８に示すように、下り坂部５３ａを中心に、右方向成分を有する斜め方向に転動する場合もある。これらは、シーソー部材８０上におけるパチンコ球Ｂの右方向への勢い（転動速度）を左右する大きな要因の１つとなる。
【００３５】
図７に示すように、シーソー部材８０の左端部近傍上におけるパチンコ球Ｂの右方向への勢い（右方向に転動する速度）があまり大きくない場合は、左傾状態のシーソー部材８０を右方向に上っていくことはなく（又は、途中まで上った後に下ってきて）、シーソー部材８０の左側の落下部８３ａから第２層部材５０の底部５６に流出する。これによって、シーソー部材８０は、元の中立状態に戻る（図２参照）。そして、図７に示すように、そのパチンコ球Ｂは、第２層部材５０の底部５６を左側から右側へ転動し、落下部５７からセンター役物３０の外へ流出する。その際、パチンコ球Ｂは、右下方向へ斜めに流出していくため、始動入賞口２２（図１参照）に入る可能性は非常に低い。
【００３６】
一方、図８に示すように、シーソー部材８０の左端部近傍上におけるパチンコ球Ｂの右方向への勢い（右方向に転動する速度）がある程度以上大きい場合は、パチンコ球Ｂは、左傾状態のシーソー部材８０（図７参照）を右方向に上っていき、中央の落下部８２に到達する（図８参照）。これによって、シーソー部材８０は元の中立状態に戻る。そして、そのパチンコ球Ｂは、中央の落下部８２から手前側へ落下し、パチンコ球流出部６２を経て第２層部材５０へ流出し、第２層部材５０の落下部５７からセンター役物３０の外へ流出する。その際、パチンコ球Ｂはほぼ鉛直方向に流出していくため、始動入賞口２２（図１参照）に入る可能性もかなり高いのである。
【００３７】
以上のように、このパチンコ機では、センター役物３０内にパチンコ球Ｂが入ることによって、それまで中立状態であったシーソー部材８０が左傾状態又は右傾状態となり、再度、シーソー部材８０は元の中立状態に戻る。このパチンコ機では、まず、このような従来にないシーソー部材８０の動きによって、遊技者に興趣を与えることができる。
【００３８】
また、このパチンコ機では、パチンコ球Ｂの勢い（シーソー部材８０の中央部へ向かう勢い）に応じてパチンコ球Ｂが傾斜状態のシーソー部材８０を上っていく場合があるため、遊技者に新鮮な驚きを与え、その点でも遊技者に興趣を与えることができる。
【００３９】
さらに、このパチンコ機では、前述したように、シーソー部材８０上に着地したパチンコ球Ｂの勢い（シーソー部材８０の中央部へ向かう勢い）があまり大きくない場合には、シーソー部材８０の左側又は右側の落下部８３ａ，８３ｂを経てセンター役物３０の外へ斜め下方に流出していくため（図７参照）、始動入賞口２２（図１参照）に入る可能性は非常に低い。一方、パチンコ球Ｂの勢いがある程度以上大きい場合には、シーソー部材８０の中央の落下部８２を経てセンター役物３０の外へほぼ鉛直に流出していくため（図８参照）、始動入賞口２２（図１参照）に入る可能性がかなり高い。そして、前述したように、始動入賞口２２に入ればセンター役物３０の表示部３２が作動状態となり、遊技者は特別な利益を得られる可能性が生ずることになる。
このように、このパチンコ機では、パチンコ球Ｂが傾斜状態のシーソー部材８０を中央の落下部８２まで上っていってその中央の落下部８２から流出するか否かによって、遊技者が特別な利益を得られるか否かが大きく影響されることになる。このため、このパチンコ機では、シーソー部材８０におけるパチンコ球Ｂの動きが遊技者の関心を集め、遊技者に非常に深い興趣を与えることができる。
【００４０】
なお、上記のものはあくまで本発明の一実施形態にすぎず、当業者の知識に基づき種々の変更を加えた態様で本発明を実施できることはもちろんである。
例えば、左側のパチンコ球入口部５２ａからセンター役物３０内に流入したパチンコ球Ｂがシーソー部材８０の右端近傍に到達し、逆に、右側のパチンコ球入口部５２ｂからセンター役物３０内に流入したパチンコ球Ｂがシーソー部材８０の左端近傍に到達するような構造であってもよい。
【００４１】
【発明の効果】
以上説明したように、本発明の弾球遊技機では、遊技球がシーソー部材上に着地し、流出していくこと等によって、シーソー部材が中立状態から傾斜状態になり、再び中立状態に戻る。このため、この動きによって、遊技者に対して深い興趣を与えることができる。また、このシーソー部材の動きは動力源を使用するものではないため、低コスト化を図りつつ、遊技者に興趣を与えることができる。
【図面の簡単な説明】
【図１】本発明の一実施形態のパチンコ機の正面図である。
【図２】図１のパチンコ機のセンター役物の斜視図である。
【図３】図１のパチンコ機のセンター役物の分解斜視図である。
【図４】図１のパチンコ機のセンター役物のうちの下部（ステージ部）を示す正面図である。
【図５】図１のパチンコ機のセンター役物のうち、シーソー部材及びそれに関連する部材の分解斜視図である。斜め後方から見た図である。
【図６】図１のパチンコ機のセンター役物のうち、シーソー部材及びその周辺の縦断面図である。（ａ）は中立状態を示し、（ｂ）は左傾状態を示す。
【図７】図１のパチンコ機（ステージ部）の作用説明図（斜視図）である。パチンコ球Ｂがシーソー部材の左側の落下部から流出する場合を示す。
【図８】図１のパチンコ機（ステージ部）の作用説明図（斜視図）である。パチンコ球Ｂがシーソー部材の中央の落下部から流出する場合を示す。
【符号の説明】
３０  センター役物
３５  ステージ部
５２ａ，５２ｂ  パチンコ球入口部（入口部）
８０  シーソー部材
８２  落下部（中央流出部）
８６  支点部
【図１】
0003787257.tif 000002
【図２】
0003787257.tif 000003
【図３】
0003787257.tif 000004
【図４】
0003787257.tif 000005
【図５】
0003787257.tif 000006
【図６】
0003787257.tif 000007
【図７】
0003787257.tif 000008
【図８】
0003787257.tif 000009